(57)【要約】  数ＧＨｚの動作周波数のために複数の同軸線ケーブルを回路基板に取り外し可能に接続するためのマルチ同軸線ケーブルプラグ接続体５０は、第１と第２のプラグコネクタ１０、２０を備え、これらのプラグコネクタをプラグ軸線に沿って互いに対して挿入することができ、第１のプラグコネクタがプラグ軸線に対して垂直に互いに隣接して配置される複数の第１の同軸線接触装置２６を有し、第２のプラグコネクタには第１の同軸線接触装置に適合する第２の同軸線接触装置２７が設けられ、第１の同軸線接触装置がそれぞれ、関連する同軸線ケーブルの端部に取り付けられる。第１の同軸線接触装置が第１のハウジング１１内に浮いた方式で支持される一方で、第２の同軸線接触装置が第２のハウジング２１内に取り外し不能に取り付けられるマルチ同軸線ケーブルプラグ接続体においては、接続精度が高く、挿入力が小さい。【選択図】図２
2011513938.tif 000002
【特許請求の範囲】
【請求項１】
数ＧＨｚの動作周波数のために特に複数の同軸線ケーブルを回路基板（５２）に取り外し可能に接続するためのマルチ同軸線ケーブルプラグ接続体（５０）であって、
第１のプラグコネクタ（１０）および第２のプラグコネクタ（２０）を備え、前記第１のプラグコネクタ（１０）および前記第２のプラグコネクタ（２０）をプラグ軸線（５１）に沿って互いに対して挿入することができ、前記第１のプラグコネクタ（１０）が前記プラグ軸線（５１）に対して垂直に互いに隣接して配置される複数の第１の同軸線接触装置（２６）を有し、前記第２のプラグコネクタ（２０）には前記第１の同軸線接触装置（２６）に適合する第２の同軸線接触装置（２７）が設けられ、前記第１の同軸線接触装置（２６）が、関連する同軸線ケーブル（２８）の端部に取り付けられる、マルチ同軸線ケーブルプラグ接続体（５０）において、
前記第１の同軸線接触装置（２６）が第１のハウジング（１１）内に浮いた方式で装着される一方で、前記第２の同軸線接触装置（２７）が第２のハウジング（２１）内に固定されることを特徴とするマルチ同軸線ケーブルプラグ接続体。
【請求項２】
前記第１のプラグコネクタ（１０）および前記第２のプラグコネクタ（２０）がマルチコネクタストリップの形態を成すことを特徴とする、請求項１に記載のマルチ同軸線ケーブルプラグ接続体。
【請求項３】
前記第２のプラグコネクタ（２０）が回路基板（５２）に直接に接続するように形成されることを特徴とする、請求項１または２に記載のマルチ同軸線ケーブルプラグ接続体。
【請求項４】
前記第１のプラグコネクタ（１０）に浮いた方式で装着される前記第１の同軸線接触装置（２６）が、前記プラグ軸線（５１）に対して垂直に挿入されてベアリングプレート（１８）に係止され、前記ベアリングプレート（１８）が前記第１のハウジング（１１）内に径方向の遊びをもって保持されることを特徴とする、請求項１〜３のいずれか一項に記載のマルチ同軸線ケーブルプラグ接続体。
【請求項５】
前記ベアリングプレートが、外側に突出する歯（１９；１９ａ、ｂ）を有する櫛（１８）の形態を成し、挿入された前記第１の同軸線接触装置（２６）を収容するための収容空間（２５）が前記歯の間に配置されることを特徴とする、請求項４に記載のマルチ同軸線ケーブルプラグ接続体。
【請求項６】
前記第１の同軸線接触装置（２６）が円筒形状を有し、前記収容空間（２５）が、その直径が前記第１の同軸線接触装置（２６）に適合される円形の収容部分（２５ａ）と、前記収容部分（２５ａ）を外部へ接続し、前記収容部分（２５ａ）の直径（Ｄ）よりも僅かに小さい幅（ｂ）を有する直線状の挿入部分（２５ｂ）とを備え、それにより、前記第１の同軸線接触装置（２６）を前記挿入部分（２５ｂ）を通じて挿入して前記収容部分（２５ａ）に係止させることができることを特徴とする、請求項５に記載のマルチ同軸線ケーブルプラグ接続体。
【請求項７】
前記第１の同軸線接触装置（２６）が外周係止溝（３０）を有し、前記係止溝の外径が前記収容部分（２５ａ）の直径（Ｄ）に一致することを特徴とする、請求項６に記載のマルチ同軸線ケーブルプラグ接続体。
【請求項８】
前記第１のハウジング（１１）が、前記プラグ軸線（５１）の方向に延びるとともに端部で開放する内部（１２）を有し、前記ベアリングプレートまたは櫛（１８）が、このために意図される前記第１のハウジング（１１）の凹部（１３、１４、１５）内に遊びをもって保持されることを特徴とする、請求項４〜７のいずれか一項に記載のマルチ同軸線ケーブルプラグ接続体。
【請求項９】
前記第１の接触装置（２６）が、関連する同軸線ケーブル（２８）に対して取り外し不能に接続され、特に半田付けされ、または圧着接続されることを特徴とする、請求項１〜８のいずれか一項に記載のマルチ同軸線ケーブルプラグ接続体。
【請求項１０】
前記ベアリングプレートおよび櫛（１８）がプラスチックから成ることを特徴とする、請求項４〜８のいずれか一項に記載のマルチ同軸線ケーブルプラグ接続体。
【請求項１１】
前記第１の同軸線接触装置（２６）が、ソケットの形態を成すとともに、前記第２の同軸線接触装置（２７）を挿入するための挿入開口（３４）を伴う外部導体として作用する接触スリーブ（２９）を有し、前記挿入開口内には第１の内部導体（３１）が同心的に配置され、前記内部導体が第１の絶縁部品（３３）によって前記接触スリーブ（２９）内に保持され、前記内部導体が前記挿入開口（３４）の方向で接触ソケット（３２）と一体化することを特徴とする、請求項１〜１０のいずれか一項に記載のマルチ同軸線ケーブルプラグ接続体。
【請求項１２】
前記第２の同軸線接触装置（２７）が、プラグの形態を成すとともに、環状ベース（３７）を有し、前記環状ベース内には第２の内部導体（３１）が同心的に配置され、前記内部導体が第２の絶縁部品（４１）によって前記ベース（３７）内に保持され、前記第２の導体が前側で接触ピン（４４）と一体化し、軸線方向に延びるバネ付きの接触アーム（３９）のクラウンが前記ベース（３７）に一体形成され、前記クラウンが、プラグ接続体が挿入されるときに、関連する第１の同軸線接触装置（２６）の前記接触スリーブ（２９）内に入り込んで、前記接触スリーブの内側と接触することを特徴とする、請求項１１に記載のマルチ同軸線ケーブルプラグ接続体。
【請求項１３】
前記第２のハウジング（２１）が、金属または金属化プラスチックから成るとともに、前記第２の同軸線接触装置（２７）の数に対応する数の直径が徐々に変化する穴（２２）を有し、前記第２の同軸線接触装置（２７）が、それらのベース（３７）を介して穴（２２）内に押し込まれて載置固定されることを特徴とする、請求項１２に記載のマルチ同軸線ケーブルプラグ接続体。
【請求項１４】
前記第１の接触装置（２６）から離れる同軸線ケーブル（２８）を案内するためにケーブルガイド（５３）が設けられることを特徴とする、請求項１〜１３のいずれか一項に記載のマルチ同軸線ケーブルプラグ接続体。
【請求項１５】
前記ケーブルガイド（５３）が、同軸線ケーブル（２８）を導くための同軸線ケーブル（２８）の最大数に対応する数の通過穴（５４）を有する別個の一体品の形態を成し、前記ケーブルガイド（５３）がプラスチックから成り、前記ケーブルガイド（５３）が連結方式または接着方式で前記第１のハウジング（１１）に取り付けられることを特徴とする、請求項１４に記載のマルチ同軸線ケーブルプラグ接続体。
【請求項１６】
前記ケーブルガイド（５３）を前記第１のハウジング（１１）に取り付けるために互いに適合される係止手段（１３’、１４’、１５’；６５、５７）が前記ケーブルガイド（５３）および前記第１のハウジング（１１）に設けられることを特徴とする、請求項１４に記載のマルチ同軸線ケーブルプラグ接続体。
【請求項１７】
請求項４〜９のいずれか一項に記載のマルチ同軸線ケーブルプラグ接続体を取り付けるための方法において、
第１のステップでは、マルチ同軸線ケーブルプラグ接続体のために設けられる同軸線ケーブル（２８）が所定長にカットされて、第１の同軸線接触装置（２６）が、いずれの場合にも、同軸線ケーブル（２８）の端部に対して接触するために取り付けられ、特に半田付けされ、または圧着接続され、
第２のステップでは、前述のようにして製造された同軸線ケーブルが、前記第１の同軸線接触装置（２６）を介してベアリングプレートまたは櫛（１８）内に係止方式で挿入され、
第３のステップでは、製造された同軸線ケーブルが保持されて成る前記ベアリングプレートまたは櫛（１８）が前記第１のハウジング（１１）に挿入されてそこで固定される、ことを特徴とする、方法。
【請求項１８】
金属を備える第１のハウジング（１１）が使用され、前記ベアリングプレートまたは櫛（１８）が、前記第１のハウジング（１１）内に挿入された後にそこで抜け止めされることを特徴とする、請求項１４に記載の方法。
【請求項１９】
プラスチックを備える第１のハウジング（１１）が使用され、前記ベアリングプレートまたは櫛（１８）が、前記第３のステップで前記第１のハウジング（１１）に係止するように挿入されることを特徴とする、請求項１４に記載の方法。
【請求項２０】
第４のステップでは、同軸線ケーブル（２８）が、前記第１のハウジング（１１）に取り付けられるケーブル（５３）を通じて案内されることを特徴とする、請求項１７〜１９のいずれか一項に記載の方法。
【発明の詳細な説明】
【背景技術】
【０００１】
従来、無線周波数目的で複数の同軸線ケーブルが１つのプラグ接続動作で同時に回路基板に接続されるマルチプラグ接続体に関して多種多様な提案がなされてきた。このタイプのマルチ同軸線ケーブルプラグ接続体の場合には、個々の接続点の接触装置を互いに位置合わせする必要があるだけでなく、ＲＦ接続が最小の想定し得る減衰をもって最大周波数に至るまでなされるようにする必要もある。また、接続されるべき接続点または接続ケーブルが多数存在する場合には、接続動作中に費やされなければならないプラグ接続力を管理できることに留意しなければならない。
【０００２】
国際公開第９２／２２９４３号は、例えば、ケーブル側において同軸線接触装置を備えるケーブルがグループ化プレートの穴内に挿入されてそこに係止される、プリント回路で用いる高密度の同軸線コネクタシステムを開示する。複数のグループ化プレートが１つのハウジング内に平行に保持され、その場合、同軸線接触装置が、ハウジングから前方へ突出し、回路基板上に配置される嵌め合部品の対応する穴内に挿入される。嵌め合い接点では、内部導体のための中心ピンと穴内に側方から配置される外部導体のための接触舌部とを介して電気的な接続が確立される。この解決策の場合、構造が非常に簡単であり、また、プラグ接続力が比較的低い。一方、この解決策は、好ましくない接触形状および精度の欠如により、ＧＨｚ範囲の高周波数および極めて高い周波数に適さない。
【０００３】
欧州特許出願第０  ５８２  ９６０号は、同軸線プラグ用の同軸線嵌め合いプラグコネクタが全ての嵌め合いプラグコネクタに共通の外部導体を形成する金属モノブロック内に組み込まれるＲＦ同軸線プラグ接続体を開示する。同軸線プラグ自体は、基板上に配置され、特定の間隔をもって圧入接点により取り付けられる共通の装着プレートによって１つのユニットを形成するように組み合わされる。ここでは、個々のプラグ接続体同士の柔軟な位置合わせが不可能である。
【０００４】
国際公開第９８／３３２４３号は、嵌め合いプラグコネクタの金属ブロックの代わりに、外部導体としての金属化された内壁を有するプラスチックハウジングが挿入される、同等のＲＦ同軸線プラグコネクタを開示する。このケースでも、個々のプラグ接続体の場合の柔軟な位置合わせが不可能である。
【発明の概要】
【発明が解決しようとする課題】
【０００５】
したがって、本発明の目的は、個々のプラグ接続体同士の柔軟な位置合わせに起因して、プラグ接続における非常に高い精度、したがって、特に４０ＧＨｚにまで至る２桁のＧＨｚ範囲の達成可能な動作周波数が、容易に管理できるプラグ接続力および十分な数のプラグ接続サイクルを伴って達成される、特に回路基板に用いるのに適するマルチ同軸線ケーブルプラグ接続体を提供し、前記マルチ同軸線ケーブルプラグ接続体を取り付けるための方法を特定することである。
【課題を解決するための手段】
【０００６】
この目的は、請求項１および請求項１７の特徴の全てによって達成される。本発明の本質的な特徴は２つのプラグコネクタであり、その場合、第１のプラグコネクタは、プラグ軸線に対して垂直に互いに隣接して配置される複数の第１の同軸線接触装置を有し、また、第２のプラグコネクタには第１の同軸線接触装置に適合する第２の同軸線接触装置が設けられ、第１の同軸線接触装置は、いずれの場合にも、関連する同軸線ケーブルの端部に取り付けられる。本発明に係るプラグ接続体の有利な特性は、第１の同軸線接触装置が第１のハウジング内に浮いた方式で装着される一方で、第２の同軸線接触装置が第２のハウジング内に固定されるという点において達成される。このようにすると、対を成す第１および第２の接触装置を（高精度）位置合わせすることができ、それにより、プラグ接続体が挿入されると同時に、ＲＦ目的および低いプラグ接続力に最適なプラグ接触が達成される。
【０００７】
本発明の１つの実施形態によれば、２つのプラグコネクタは、個々の接続部が特に複数の平行な列を成して配置されるマルチコネクタストリップの形態を成す。
【０００８】
本発明の他の実施形態は、第２のプラグコネクタが回路基板に直接に接続するように形成されるという点において区別される。特に、第２のプラグコネクタをＳＭＤ実装技術を使用して回路基板に実装できる。
【０００９】
本発明の更なる実施形態は、第１のプラグコネクタに浮いた方式で装着される第１の同軸線接触装置がプラグ軸線に対して垂直に挿入されてベアリングプレートに係止され、ベアリングプレートが第１のハウジング内に径方向の遊びをもって保持されるという点において区別される。特に、ベアリングプレートは、外側に突出する歯を有する櫛の形態を成し、挿入された第１の同軸線接触装置を収容するための収容空間が歯の間に配置される。要件に応じて、櫛には、最大数の接触装置を取り付けることができるが、更に少ない数の接触装置を取り付けることもでき、したがって、柔軟な方式で使用され得るシステムが提供される。
【００１０】
この実施形態の好ましい進展は、第１の同軸線接触装置が円筒形状を有し、収容空間が、いずれの場合にも、その直径が第１の同軸線接触装置に適合される円形の収容部分と、収容部分を外部へ接続し、収容部分の直径よりも僅かに小さい幅を有する直線状の挿入部分とを備え、それにより、第１の同軸線接触装置を挿入部分を通じて挿入して収容部分に係止させることができることを特徴とする。その結果、プラグコネクタの装着がかなり簡略化される。
【００１１】
この場合、第１の同軸線接触装置の位置決めは、第１の同軸線接触装置が外周係止溝を有し、該係止溝の外径が収容部分の直径に一致されることによって簡略化することができる。
【００１２】
第１のハウジングは、プラグ軸線の方向に延び、端部で開放する内部を有することが好ましく、ベアリングプレートまたは櫛は、このために意図される第１のハウジングの凹部内に遊びをもって保持される。
【００１３】
本発明の他の実施形態によれば、第１の接触装置は、関連する同軸線ケーブルに対して取り外し不能に接続され、特に半田付けされる。
【００１４】
また、ベアリングプレートまたは櫛がプラスチックから成っていれば有益である。
【００１５】
本発明の更なる実施形態は、第１の同軸線接触装置が、ソケットの形態を成すとともに、第２の同軸線接触装置を挿入するための挿入開口を伴う外部導体として作用する接触スリーブを有し、挿入開口内には第１の内部導体が同心的に配置され、該内部導体が第１の絶縁部品によって接触スリーブ内に保持され、前記内部導体が挿入開口の方向で接触ソケットと一体化することを特徴とする。
【００１６】
この実施形態の好ましい進展は、第２の同軸線接触装置が、プラグの形態を成し、環状ベースを有し、該環状ベース内には第２の内部導体が同心的に配置され、該内部導体が第２の絶縁部品によってベース内に保持され、前記第２の導体が前側で接触ピンと一体化し、軸線方向に延びるバネ付きの接触アームのクラウンがベースに一体形成され、前記クラウンが、プラグ接続体が挿入されるときに、関連する第１の同軸線接触装置の接触スリーブ内に入り込んで、前記接触スリーブの内側と接触するという点において区別される。また、第２のハウジングが、金属または金属化プラスチックから成るとともに、第２の同軸線接触装置の数に対応する数の直径が徐々に変化する穴を有し、第２の同軸線接触装置が、それらのベースを介して穴内に押し込まれて載置固定されれば有益である。
【００１７】
第１の接触装置と第２の接触装置との位置合わせを助けるため、特に硬質同軸線ケーブルの場合には、本発明の他の実施形態にしたがって、第１の接触装置から離れる同軸線ケーブルを案内するためにケーブルガイドを設けることができる。
【００１８】
特に、ケーブルガイドは、同軸線ケーブルを導くための同軸線ケーブルの最大数に対応する数の通過穴を有する別個の一体品の形態を成すことができ、その場合、ケーブルガイドは、プラスチックから成るとともに、連結方式または接着方式で第１のハウジングに取り付けられる。ケーブルガイドを第１のハウジングに取り付けるために、互いに適合される係止手段がケーブルガイドおよび第１のハウジングに設けられるのが好ましい。
【００１９】
本発明に係る方法は、第１のステップでは、マルチ同軸線ケーブルプラグ接続体のために設けられる同軸線ケーブルが所定長にカットされて、第１の同軸線接触装置が、いずれの場合にも、同軸線ケーブルの端部に対して接触するために取り付けられ、特に半田付けされ、または圧着接続され、第２のステップでは、このようにして製造された同軸線ケーブルが、第１の同軸線接触装置を介してベアリングプレートまたは櫛内に係止方式で挿入され、第３のステップでは、製造された同軸線ケーブルが保持されて成るベアリングプレートまたは櫛が第１のハウジングに挿入されてそこで固定されるという点において区別される。
【００２０】
特に、金属を備える第１のハウジングが使用される場合には、ベアリングプレートまたは櫛は、第１のハウジング内に挿入された後にそこで抜け止めされる。
【００２１】
プラスチックを備える第１のハウジングが使用される場合には、第３のステップにおいて、ベアリングプレートまたは櫛を第１のハウジングに係止するように挿入することができる。
【００２２】
本発明に係る方法の１つの実施形態は、第４のステップにおいて、同軸線ケーブルが、第１のハウジングに取り付けられるケーブルガイドを通じて案内されることを特徴とする。
【００２３】
以下、図面と関連する典型的な実施形態を参照して、本発明を更に詳しく説明する。
【図面の簡単な説明】
【００２４】
【図１】本発明の１つの典型的な実施形態に係る１６個の個々の接続部を有するプラグ接続体の基本的な要素の斜視図を示している。
【図２】典型的な実施形態に係るプラグ接続体の内部構造を、図１に相当する例図であってプラグコネクタのハウジングが少なくとも部分的に透明な例図で示している。
【図３】図１および図２の上側プラグコネクタの縦断面を示している。
【図４】図１および図２の上側プラグコネクタの上から見た平面図を示している。
【図５】図３の拡大された細部（Ｂ）を示している。
【図６】図１および図２の上側プラグコネクタのハウジングの第１の斜視図を示している。
【図７】図１および図２の上側プラグコネクタのハウジングの第２の斜視図を示している。
【図８】図１および図２の上側プラグコネクタに挿入される櫛の様々な図を示している。
【図９】図１および図２の上側プラグコネクタに挿入される櫛の様々な図を示している。
【図１０】図１および図２の上側プラグコネクタに挿入される櫛の様々な図を示している。
【図１１】図１および図２の上側プラグコネクタの第１の同軸線接触装置の斜視図を示している。
【図１２】図１および図２の下側プラグコネクタの縦断面を示している。
【図１３】図１および図２の下側プラグコネクタの上から見た平面図を示している。
【図１４】図１２の接触コネクタの第２の接触装置の拡大された細部を示している。
【図１５】図１および図２の下側プラグコネクタの下から見た平面図を示している。
【図１６】図１および図２の下側プラグコネクタの第２の同軸線接触装置の斜視図を示している。
【図１７】位置合わせ・捩れ防止要素として第１のハウジングに更に係止されるケーブルガイドを有する図３の上側プラグコネクタを、図３に相当する例図で示している。
【図１８】図１７のケーブルガイドの斜視図を示している。
【図１９】図１７の２つの拡大された細部（ＢおよびＣ）を示している。
【図２０】図１７のケーブルガイドを伴うプラグコネクタの斜視図を示している。
【発明を実施するための形態】
【００２５】
図１および図２は、複数の同軸線ケーブルを回路基板５２（更に図示しないＰＣＢ、多層基板など）に接続するための本発明の典型的な実施形態に係るマルチ同軸線ケーブルプラグ接続体５０の基本的な要素を示している。マルチ同軸線ケーブルプラグ接続体５０は、ＳＭＤ実装技術によって回路基板５２に実装されて接続されるマルチコネクタストリップ２０と、プラグ軸線５１に沿ってマルチコネクタストリップ２０にプラグの方式で挿入される（図１の矢印）マルチコネクタストリップ１０とを備える。
【００２６】
その形態および内部構造が図１２〜図１６にも示されるマルチコネクタストリップ２０は、金属ブロックの形態を成すハウジング２１を備えており、該ハウジングには、この典型的な実施形態では、直径が徐々に変化する８個の軸線方向穴２２からそれぞれが成る２つの平行な列が形成される。２つの列を成す穴２２は互いに規格化された距離（この例では、４ｍｍ）を隔てており、その距離は、マルチコネクタストリップ１０の対応するプラグ挿入体（２６）間の距離に対応する。１６個の穴２２のそれぞれは同軸線ケーブル接続部を形成することができ、したがって、典型的な実施形態のマルチ同軸線ケーブルプラグ接続体５０は、最大総数１６本の同軸線ケーブルの同時プラグ接続を可能にする。
【００２７】
図２、１２、１４から分かるように、いずれの場合にも、１つの接触装置２７が穴２内に挿入（圧入）される。なお、前記接触装置が図１６に個別に示されており、また、前記接触装置の構造が図１４に示されている。接触装置２７は、ストッパ３８を伴う環状ベース３７を有する。前記接触装置は、環状隙間４５を形成するようにベース３７を介して穴２２内に圧入される。
【００２８】
ベースの軸線方向穴には内部導体４２が同心的に配置され、前記内部導体は、絶縁部品４１によってベース３７内に中心付けられて保持される。内部導体４２は、回路基板５２の方向でハウジング２１の実装面２３と面一で終端しており（図２、１４）、開口４６（図１５）を通じて下側から内部導体にアクセスすることができ、一方、絶縁部品４１は奥まった所に置かれる。挿入側において、内部導体４２は、インピーダンス整合のため、拡大された直径の中心部品４３を有しており、テーパ状の接触ピン４４と一体化する。中心部品４３および接触ピン４４は、軸線方向に向けられる接触アーム３９のクラウンによって同心的に取り囲まれ、接触アームは、スロット４９により互いに分離されて、ベース３８から始まるとともに、それらの自由端を介して径方向に撓むことができる。接触アーム３９の自由端の外側には接触ビーズ４０が配置されており、前記接触ビーズは、挿入時に、接触アーム３９と嵌め合い部品（マルチコネクタストリップ１０）の関連する接触装置２６の接触スリーブ２９（図５）の内壁との間で電気的接触を確立するために使用される。
【００２９】
マルチコネクタストリップ２０の金属ハウジング２１は、個々のプラグ接続の全てに共通の外部導体を形成する。また、前記金属ハウジングは、角部の形態を成すコーディング１７’を有する非対称な断面輪郭を有しており、コーディング１７’は、斜め外側に突出してマルチコネクタストリップ１０のハウジング１１上のコーディング１７（図７）に対応し、２つのプラグコネクタを所定の方式でのみ互いにプラグ接続できるようにする。ハウジング２１の実装面２３には、穴２２から外側に通じる切削部２４が設けられており（図１５）、前記切削部により、内部導体４２を回路基板５２の上面でハウジング２１から絶縁された方式で外側へと案内することができる。回路基板５２上にハウジング２１を位置決めするため、ハウジング２１には、非対称に配置されたガイド穴４７、４８が、穴２２の２つの列の間に設けられる（図１５）。
【００３０】
既に述べたように、マルチコネクタストリップ２０の各接触装置２７は、マルチコネクタストリップ１０の関連する対応する接触装置２６を有する。その構造が図５に示される接触装置２６は、外部導体として作用する接触スリーブ２９を備えており、該接触スリーブ内には絶縁部品３３によって内部導体３１が同心的に中心付けられて保持される。内部導体３１はプラグ接続側の方向で接触ソケット３２と一体化し、前記接触ソケットは挿入時に接触装置２７の接触ピン４４を収容する。内部導体３１の他端が同軸線ケーブル２８の内部導体を収容し、接触装置２６が前記同軸線ケーブルの端部に半田付けされる。この場合、同軸線ケーブル２８の外部導体は接触スリーブ２９の後端に接続される。接触装置２７の接触アーム３９の挿入を容易にするため、接触スリーブ２９の内側がプラグ接続側の方向で円錐状に広げられる。２つの接触装置２６、２７の導電接触部は、ＣｕＢｅから成ることが好ましく、表面処理され、特に金メッキされる。
【００３１】
マルチコネクタストリップ１０がマルチコネクタストリップ２０内に挿入されるときに対を成す接触装置２６、２７の位置合わせを容易にするため、したがって、小さいプラグ接続力と共にプラグ接続の高い精度を達成し、これにより、最大４０ＧＨｚの動作周波数を可能にするため、同軸線ケーブル２８は、端部に半田付けされる接触装置２６を介してマルチコネクタストリップ１０のハウジング１１に浮いた方式で装着される。このため、櫛１８の形態を成す装着プレートが使用され、前記装着プレートは図８−１０に単独で示されている。適切なプラスチックから成ることが好ましい櫛１８の外側形状は、ハウジング１１の断面輪郭に適合される。前記櫛は、複数の外側に突出する歯１９、１９ａ、ｂを外周に有しており、接触装置２６のための収容空間２５が前記歯の間に自由に残る。収容空間２５のそれぞれは、いずれの場合にも、その直径が第１の同軸線接触装置２６に適合される円形の収容部分２５ａと、収容部分２５ａを外部に接続する直線状の挿入部分２５ｂとを備える。円形の収容部分２５ａは、それらの横方向配置に関して、他方のマルチコネクタストリップ２０のハウジング２１の穴２２に対応する。挿入部分２５ｂは、収容部分２５ａの直径Ｄよりも小さい幅ｂ（図８）を有しており、それにより、具体的には、第１の同軸線接触装置２６を挿入部分２５ｂを通じて側方から挿入して収容部分２５ａに係止させることができる。櫛１８内に保持される接触装置２６は、接触スリーブ２９に形成される外周係止溝３０によって軸線方向に固定され、前記係止溝の幅は櫛１８の厚さに対応する。
【００３２】
１６本の同軸線ケーブル２８の全てが櫛１８内のそれらの半田付けされた接触装置２６を介してそれぞれの収容部分２５ａに嵌め込まれる場合、このようにして設けられる櫛１８は、後側からハウジング１０の内部１２に挿入され、該内部に浮いた方式で保持される。このプロセスは、ハウジング１１が金属から形成されるか、または柔軟なプラスチックから形成されるかどうかに応じて異なる。図示の典型的な実施形態では、ハウジング１１が金属から成ることが前提とされる。いずれの場合にも、ハウジング１１の壁には、２つの平行なスロット１３、１３’および１４、１４’および１５、１５’が４つの全ての側に設けられる。下側の幅広スロット１３、１４、１５（スロット幅＝櫛厚）は、櫛１８を収容し、径方向の遊びをもって前記櫛を保持する。上側の幅狭スロット１３’、１４、１５’はそれぞれ、スロットの対間に位置されてハウジング１１内で櫛１８を抜け止めするために使用できるウェブを形成する。すなわち、櫛１８の中央の歯１９ａは、他の歯１９ｂよりも長い。長い歯１９ａにおいては、長い歯１９ａに適合される凹部１６がハウジング１１の対向する壁のそれぞれに形成され、前記凹部は、後方から前方へと延びるとともに、スロット１３の領域で終端する。櫛１８がハウジング１１内に挿入されると、長い歯１９ａは、それらがスロット１３と同じ高さで凹部１６の端部に当接するまで障害なく凹部１６内へと前方へ移動できる（図４）。その後、スロット１３、１３’および１４、１４’および１５、１５’間のウェブは、櫛をこの位置で保持するために内側で抜け止めを行なうことができる。
【００３３】
ハウジング１１がプラスチックから成る場合には、櫛１８が挿入されるときに外側に弾性的に撓ませられて櫛１８の背後で跳ね返って係止する係止手段としてウェブを使用できる。しかしながら、他の係止システムも実現可能である。
【００３４】
挿入時、第１のマルチコネクタストリップ１０のハウジング１１が第２のマルチコネクタストリップ２０のハウジング２１上に押し付けられる場合には、櫛１８に保持されて同軸線ケーブル２８が接続されて成る接触装置２６を、遊びに起因して、対向する接触装置２７に適合させることができ、したがって、非常に正確な同軸線接続がもたらされる。
【００３５】
比較的硬質の同軸線ケーブル２８が与えられる場合には、横方向に作用するかなりの力が、端部に取り付けられて櫛１８に嵌め込まれる第１の接触装置２６に作用する可能性があり、前記力により、第１の接触装置が傾いて、プラグ接続作業が更に困難になる。そのような困難を確実に回避するため、図１７〜図２０にしたがってケーブルガイド５３を挿入することができ、前記ケーブルガイドは、第１のハウジング１１から出てくる同軸線ケーブル２８を平行に位置合わせすると同時に、よじれを防止する。
【００３６】
ケーブルガイド５３は、一体のプラスチック体（図１８）として形成されるとともに、数および配置に関してマルチコネクタストリップ２０の穴２２に対応する同軸線ケーブル２８を導くための多数の平行な通過穴５４を有する。通過穴５４の直径は、第１の接触装置２６を有する完成品の同軸線ケーブル２８をそれらがその後に櫛１８に嵌め込まれる前に押し通すことができるように選択することができる。
【００３７】
ケーブルガイド５３の縁輪郭は、第１のハウジング１１の内部１２の縁輪郭に対応する。特に、ケーブルガイド５３の長い側面には厚肉部５５が設けられ、前記厚肉部は、第１のハウジング１１の内壁の凹部１９に適合されるとともに、ケーブルガイド５３をハウジング１１内で案内する役目を果たす。ケーブルガイド５３の下縁部には、側方に突出する係止ラグ５６、５７が４つの側のそれぞれに配置され、前記係止ラグは、ケーブルガイド５３が第１のハウジング１１に挿入されるときに上側スロット１３’、１４’、１５’に係止する。図示の典型的な実施形態では、挿入されたケーブルガイド５３が第１のハウジングの上縁と略面一で終端する。しかしながら、同軸線ケーブルの支持および位置合わせを更に高めるため、ケーブルガイドがハウジング１１から後側へ更に大きい度合いまで、または更に小さい度合いまで突出することも可能である。また、ケーブルガイドがプラスチック化合物を使用して射出成形により形成されることも可能であり、および／または、ケーブルガイドが第１のハウジングに接着して取り付けられることも可能である。
【００３８】
全体的に、本発明は、以下の特性および利点によって区別されるマルチ同軸線ケーブルプラグ接続体を提供する。
・高いデータ転送レート（４０ＧＨｚ、４０Ｇｂ／ｓ）および多数のプラグ接続サイクル（＞３０００）のために極めて狭い空間内で回路基板上に接点を形成するためのマルチケーブル接続体、
・良好なシールド特性、低いプラグ接続力、
・マルチコネクタストリップ内に浮いた方式で装着されるケーブルアセンブリ、および、嵌め合い部品としてのプリント基板上のＳＭＤ実装技術を伴うマルチコネクタストリップ、
・ケーブルプラグが櫛内で案内される。櫛は、径方向の遊びをもってマルチコネクタストリップ内に装着されるとともに、プリント基板上のソケット装置に対する公差補償を可能にする、
・櫛は、挿入されるケーブルアセンブリと共に、コネクタストリップのハウジング内に嵌め込まれ（プラスチックハウジング）、または抜け止めされる（金属ハウジング）、
・プリント回路装置の正確で効率的な検査のために主に測定技術で使用することができる、あるいは、
・全てのタイプのプリント接続のための幾つかのケーブルに関する。
【符号の説明】
【００３９】
１０、２０  マルチコネクタストリップ
１１、２１  ハウジング
１２  内部
１３、１４、１５  スロット
１３’、１４’、１５’  スロット
１６  凹部
１７、１７’  コーディング
１８  櫛（ベアリングプレート）
１９、１９ａ、ｂ  歯（櫛）
２２  穴
２３  実装面
２４  切削部
２５  収容空間
２５ａ  収容部分
２５ｂ  挿入部分
２６、２７  接触装置
２８  同軸線ケーブル
２９  接触スリーブ（外部導体）
３０  係止溝（外周）
３１  内部導体
３２  接触ソケット（内部導体）
３３、４１  絶縁部品
３４  挿入開口
３５、３６  突出部
３７  ベース
３８  ストッパ（環状）
３９  接触アーム
４０  接触ビーズ
４２  内部導体
４３  中心部品
４４  接触ピン
４５  環状隙間
４６  開口
４７、４８  ガイド穴
４９  スロット
５０  マルチ同軸線ケーブルプラグ接続体
５１  プラグ軸線
５２  回路基板
５３  ケーブルガイド
５４  通過穴
５５  厚肉部
５６、５７  係止ラグ
ｂ  幅（挿入部分２５ｂ）
Ｄ  直径（収容部分２５ａ）
【図１】
2011513938.tif 000003
【図２】
2011513938.tif 000004
【図３】
2011513938.tif 000005
【図４】
2011513938.tif 000006
【図５】
2011513938.tif 000007
【図６】
2011513938.tif 000008
【図７】
2011513938.tif 000009
【図８】
2011513938.tif 000010
【図９】
2011513938.tif 000011
【図１０】
2011513938.tif 000012
【図１１】
2011513938.tif 000013
【図１２】
2011513938.tif 000014
【図１３】
2011513938.tif 000015
【図１４】
2011513938.tif 000016
【図１５】
2011513938.tif 000017
【図１６】
2011513938.tif 000018
【図１７】
2011513938.tif 000019
【図１８】
2011513938.tif 000020
【図１９】
2011513938.tif 000021
【図２０】
2011513938.tif 000022
【国際調査報告】
2011513938.tif 000023
2011513938.tif 000024
2011513938.tif 000025
2011513938.tif 000026